(57)【要約】【課題】  座った者が容易に立ち上がるための補助に用いられる立ち上がり補助座椅子を提供することを課題とする。【解決手段】  本立ち上がり補助座椅子は、底板１、座板２、座板２を昇降可能にするリンク３、リンクに設けられ昇降を付勢する弾性体４、及び弾性体４に設けられる圧力調節部５を備え、弾性体４は、圧力調節部５を操作することによって、座版２の上昇を付勢する、又は座版２の下降を付勢することを特徴とする。本考案の立ち上がり補助座椅子によれば、圧力調節部５を操作することによって、座版２の上昇を付勢する、又は座版２の下降を付勢することができる。このため、座椅子に座るときに、座版２の上昇を付勢するようにして立ち上がり時の補助をおこなうことができる。【選択図】  図２
0003110265.tif 000002
【実用新案登録請求の範囲】
【請求項１】
底板１、座板２、該座板２を昇降可能にするリンク３、該リンク３に設けられ昇降を付勢する弾性体４、及び該弾性体４に設けられる圧力調節部５を備え、
該弾性体４は、圧力調節部５を操作することによって、該座版２の上昇を付勢する、又は該座版２の下降を付勢することを特徴とする立ち上がり補助座椅子。
【請求項２】
上記座版２が下降した状態に上記リンク３を固定するロック部６を更に備える請求項１記載の立ち上がり補助座椅子。
【請求項３】
上記リンク３は二重である請求項１又は２記載の立ち上がり補助座椅子。
【請求項４】
上記底板１及び上記座板２間には、該座板２の昇降に合わせて伸縮可能なカバー７が更に設けられ、該カバー７内に上記リンク３、上記弾性体４及び上記圧力調節部５が収納される請求項１乃至３のいずれか一項に記載の立ち上がり補助座椅子。
【請求項５】
上記圧力調節部５は、ねじ切りがされており、回転することによって上記リンク３に固定された固定片５１を前後に移動可能な調節軸５２と、一端が調節軸５２の先端に接触し、他端が弾性体４に固定される可動片５３とを備える請求項４記載の立ち上がり補助座椅子。
【請求項６】
上記調節軸５２は、取り外し可能なハンドル５４によって回転することができる請求項５記載の立ち上がり補助座椅子。
【考案の詳細な説明】
【技術分野】
【０００１】
本考案は座ったり立ったりするときの補助をする立ち上がり補助座椅子に関する。本立ち上がり補助座椅子は、本座椅子に座った者が容易に立ち上がるための補助に用いられる。
【背景技術】
【０００２】
立ち上がりの動作が困難になってきた人向けに、立ち上がり動作の補助を行う椅子が提案されている。例えば、バネ圧によって尻を持ち上げるように力を掛け、立ち上がりやすくする座椅子が提案されている（例えば、特許文献１、２を参照。）。
更に、電動モータ等を用いることによって、使用時は、座面の高さを通常の座椅子の高さにし、立ち上がり時は高い位置にする電動式の座椅子が提案されている。
【０００３】
【特許文献１】特開平０８−１１２３１４号公報（第３頁、第３図）
【特許文献２】特開昭６０−４００４９号公報（第７図）
【考案の開示】
【考案が解決しようとする課題】
【０００４】
しかし、座椅子を使用する場所は１カ所に固定されていることは少なく、設置場所を変えることがある。また、このような座椅子を持ち歩き、外出先で使用したいという要望がある。しかし、従来の座椅子は、持ち歩きを考慮していないため重くて運搬しにくく、且つ昇降機構やレバー等のために運搬中や保管時に嵩張るため、外出先等で使用することは困難であった。操作レバー等が突出しているため、衣類等が引っかかり、扱いづらい。
本考案は、このような問題点を解決するものであり、立ち上がり補助座椅子を提供することを目的とする。
【課題を解決するための手段】
【０００５】
本考案は、以下の通りである。
１．底板１、座板２、該座板２を昇降可能にするリンク３、該リンク３に設けられ昇降を付勢する弾性体４、及び該弾性体４に設けられる圧力調節部５を備え、該弾性体４は、圧力調節部５を操作することによって、該座版２の上昇を付勢する、又は該座版２の下降を付勢することを特徴とする立ち上がり補助座椅子。
２．上記座版２が下降した状態に上記リンク３を固定するロック部６を更に備える上記１記載の立ち上がり補助座椅子。
３．上記リンク３は二重である上記１．又は２．記載の立ち上がり補助座椅子。
４．上記底板１及び上記座板２間には、該座板２の昇降に合わせて伸縮可能なカバー７が更に設けられ、該カバー７内に上記リンク３、上記弾性体４及び上記圧力調節部５が収納される上記１．乃至３．のいずれか一項に記載の立ち上がり補助座椅子。
５．上記圧力調節部５は、ねじ切りがされており、回転することによって上記リンク３に固定された固定片５１を前後に移動可能な調節軸５２と、一端が調節軸５２の先端に接触し、他端が弾性体４に固定される可動片５３とを備える上記４．記載の立ち上がり補助座椅子。
６．上記調節軸５２は、取り外し可能なハンドル５４によって回転することができる上記５．記載の立ち上がり補助座椅子。
【考案の効果】
【０００６】
本考案の立ち上がり補助座椅子によれば、圧力調節部５を操作することによって、座版２の上昇を付勢する、又は座版２の下降を付勢することができる。このため、座椅子に座るときに、座版２の上昇を付勢するようにして立ち上がり時の補助をおこなうことができる。更に、本立ち上がり補助座椅子を保管したり持ち運んだりするときは、座版２の下降を付勢するようにして、座板が上昇して高さが増えず、且つがたつかないようにすることができる。また、座板２を下降させるために力をかけて座板２を押し下げる必要がなく、取扱いが容易となる。
【０００７】
ロック部６を更に備える場合は、座板２が上昇しないように固定し、本立ち上がり補助座椅子を容易に保管したり持ち運んだりすることができる。
リンク３を二重に組み合わせた場合は、本立ち上がり補助座椅子の底面積が少なくても座板を上昇・下降できる高さを大きくすることができ、且つ、最も下降したときの高さを低くすることができ、立ち上がりの補助に適したものとすることができる。
座板２の昇降に合わせて伸縮可能なカバー７を更に設けた場合は、身体や衣類等が弾性体及びリンク３等に接触して挟み込まれたりすることを防止することができる。
ねじ切りされた調整軸５２等を備える場合は、弾性体４による付勢の力を細かく調節することができる。
調節軸５２を取り外し可能なハンドル５４を使って回転させる場合は、本立ち上がり補助座椅子を使用するときや運搬するときにハンドル５４に引っかけることがなく、扱いが容易となる。
【考案を実施するための最良の形態】
【０００８】
以下、図１〜図４を用いて本考案である立ち上がり補助座椅子を詳細に説明する。
上記「底板１」及び上記「座板２」は、それぞれ本立ち上がり補助座椅子の底部及び上部を構成する板状体である。
上記「リンク３」は、座板２を昇降させるためのリンク機構であり、例えばＸ字リンクを用いることができる。特に、図３に例示するように、２組のＸ字リンクを上下に連結した二重のＸ字リンクが好ましい。底辺の長さが短くても大きく昇降できるからである。
更に、リンク３には圧力調節部５に上記「ロック部６」を設け、携行時にがたつかないようリンク３を固定することができる。このロック部６の構造は任意に選択することができ、例えば図２に示すように、摺動するリンク３の軸を引っかけて固定する鉤を備えたロック部６を挙げることができる。また、リンク３の移動方向に突出して移動を阻害する突起等を挙げることができる。
上記「弾性体４」は、リンク３に設けられて座板２の昇降を付勢するために用いられる。弾性体４は、通常金属又は樹脂製のバネを用いるがこれに限られず、ゴム等を用いてもよい。
【０００９】
上記「圧力調節部５」は、座板に弾性体４による力を調節して、立ち上がり時の付勢をおこなう力の調節をおこなうものである。
更に、立ち上がり時の付勢のために弾性体４を使うだけではなく、圧力調節部５を用いて弾性体４の力をかける方向を逆向きにして、立ち上がり補助座椅子の高さが下降する方向にしてもよい。下降する方向に圧力を調節することで、立ち上がり補助座椅子の携行する場合に、座板２が上昇しないようにし、且つ各機構に常に力が加わるようにすることで遊びをなくし、がたつきをなくすことができる。
例えば、図２及び図４に示すように、上記圧力調節部５は、ねじ切りがされており、回転することによってリンク３に固定された固定片５１を前後に移動可能な調節軸５２と、一端が調節軸５２の先端に接触し、他端が弾性体４に固定される可動片５３とを備えることができる。
このような圧力調節部５は、調整軸５２が一方側に移動させて固定片５１及び可動片５３の間の距離が広がるようにすると、弾性体４が圧縮され、リンク３を広げる方向に付勢する。これは、座板２が上昇する方向である。
更に調整軸５２が他方側に移動させて固定片５１及び可動片５３の間の距離が短くなるようにすると、弾性体４が解放状態より引き延ばされ、縮退する方向に付勢する。これは、リンクを縮め、座板２が下降する方向である。
また、調整軸５２を回転させる方法は任意に選択することができ、例えば図３に示すように取り外し可能なハンドル５４を設けて回転させることができる。
【００１０】
上記「カバー７」は、立ち上がり補助座椅子のリンク３や圧力調節部５等の各機構に身体や衣類等が挟まって稼働しなくなったり、けがをしたりするのを防止するためのものである。このカバー７は、樹脂及び金属等の繊維等で布やシート上に形成して得られたものである。このカバー７は、本立ち上がり補助座椅子の使用に支障がない形状が好ましい。
【実施例】
【００１１】
（１）立ち上がり補助座椅子の構成
本考案の立ち上がり補助座椅子を実施例により説明する。本実施例１は、図１に示すように携行可能である立ち上がり補助座椅子であり、図２及び３に示すように、底板１、座板２、リンク３、弾性体４、圧力調節部５、ロック機構６及びカバー７を備える。
本立ち上がり補助座椅子は、幅が約３４０ｍｍ、奥行きが約３４０ｍｍである。また、底板１及び座板２間を伸張したときの高さが約５００ｍｍ（図３を参照。）、畳んだ状態では約２００ｍｍ（図２を参照。）である。
底板１及び座板２は、合成樹脂等で作製され、それぞれ座椅子の底部と上部に位置する。また、底板１及び座板２は、リンク３によって接続される。
リンク３は、Ｘ字リンク３１、３２を上下二重に組み合わせたものであり、座板２が底板１に対して水平になるように保ちつつ上下に伸縮可能にするためのものである。また、リンク３は２組をあり、図２、図３における手前側及び奥側にそれぞれ１組ずつ配設されている。
弾性体４はコイルバネであり図２に示すように、一端をリンク３２の一方のリンク桿３２１に、他端を圧力調節部５の固定片５１に固定されており、リンク３２の伸縮を付勢することができる。
【００１２】
圧力調節部５は、固定片５１、調整軸５２及び可動片５３を備える。また、図３に示すように、取り外し可能なハンドル５４を調整軸５２の可動片５３側端部に設けることができる。
固定片５１は図２に示すように、調整軸５２の一端側の位置が変わらないように固定する金属片であり、弾性体４の他端側に設けられている。
調整軸５２は、金属製のねじであり、回転することによって固定片５１及び可動片５３間の距離を変化させるためのものである。
可動片５３は、リンク３２の弾性体４が設けられた反対側のリンク桿３２２に設けられた金属片である。また、可動片５３は、調整軸５２を回転させることによって調製軸５２上を前後に移動することができる。
ハンドル５４は、略Ｙ字状であり一端を調節軸５２の一端に差し込み、調整軸５２を手回しで回転させることができる。
【００１３】
ロック機構６は、リンク３のリンク桿３２１が底板１上を摺動しないように引っかけ固定することで、座板２が昇降しないように固定するための鉤である。また、外部に突出したノブを操作することによって固定を解除することができる。
カバー７は、３つの合成樹脂製の四角形筒状シートを重ね、リンク３、弾性体４及び圧力調節部５が晒されないように周りを囲むように設けられており、座板２の昇降に合わせて伸張できるようにしたものである。このカバー７によって本立ち上がり補助座椅子の利用者の身体及びその衣類がリンク３等に噛み込み怪我等をすることを防止することができる。
【００１４】
（２）着席時の使用方法
以下、本立ち上がり補助座椅子に着席するときの使用方法を説明する。
本立ち上がり補助座椅子に着席する前に、ハンドル５４を調整軸５２に挿入し、その後調整軸５２を回転させて図２に示すように、固定片５１及び可動片５３間の距離を広げ、弾性体４によって座板２が上昇するように付勢する。次いで、ロック部６を操作してリンク３の固定を解除すると図３に示すように、リンク桿３２１が摺動し座板２が上昇する。
この状態で着席すると、着席者の体重によって本座板２が押し下げられる。また、起立時は、弾性体４によって座板２が上昇する方向に付勢するため、立ち上がるために必要な力を軽減することができる。
【００１５】
（３）保管・携行時の使用方法
以下、本立ち上がり補助座椅子を保管・携行するときの使用方法を説明する。
本立ち上がり補助座椅子を保管・携行する場合は、ハンドル５４を調整軸５２に挿入し、その後調整軸５２を回転させて図４に示すように、固定片５１及び可動片５３間の距離を縮める。この操作によって、弾性体４は、座板２が下降する方向に付勢するよう調節され、座板２が下降する。その後、図４に示すようにロック部６を操作してリンク桿３２１を固定することで、リンク３を上昇方向へ動かすことができなくなり、且つ、弾性体４によって座板２が下降する方向に付勢されているため、保管・携行に適する座板２が下降した状態を維持することができる。
【００１６】
（４）本立ち上がり補助座椅子の効果
本考案の立ち上がり補助座椅子によれば、圧力調節部５の調整軸５２を操作することによって、座版２の上昇を付勢する、又は座版２の下降を付勢することができる。このため、座椅子に座るときに、座版２の上昇を付勢するように調整軸５２を操作して、立ち上がり時の補助をおこなうことができる。
更に、本立ち上がり補助座椅子を保管したり携行したりするときは、圧力調節部５の調整軸５２を操作することによって座版２が下降するように付勢するようにして座板が上昇して嵩が増さないようにすることができる。また、最も下降した位置より下降方向に付勢することで、リンク３ががたつかないようにすることができ、且つロック部６の誤操作によってリンク３の固定が誤って解除されても座版２が上昇することを防止することができる。更に、座板２を下降させるために力をかけて座板を押し下げる必要がなく、取り扱いが容易となる。
【００１７】
また、座板２の昇降に合わせて伸縮可能なカバー７を設けることで、身体や衣類等が弾性体及びリンク等に接触して挟み込まれたりすることを防止することができる。更に、調整軸５２を操作するためのハンドル５４は取り外しすることができるため、使用時に、身体や衣類等がハンドル５４に接触して、引っかけ、怪我をしたり破れたりすることを防止することができる。
【図面の簡単な説明】
【００１８】
【図１】本立ち上がり補助座椅子の構成を説明するための模式斜視図である。
【図２】本立ち上がり補助座椅子に着席した状態を説明するための模式側面図である。
【図３】本立ち上がり補助座椅子が伸張した状態を説明するための模式側面図である。
【図４】本立ち上がり補助座椅子を携帯するためにロックをかけた状態を説明するための模式側面図である。
【符号の説明】
【００１９】
１；底板、２；座板、３；リンク、４；弾性体、５；圧力調節部、５１；固定片、５２；調節軸、５３；可動片、５４；ハンドル、６；ロック機構、７；カバー。
【図１】
0003110265.tif 000003
【図２】
0003110265.tif 000004
【図３】
0003110265.tif 000005
【図４】
0003110265.tif 000006